(57)【要約】【課題】簡単な制御で、走行状況に応じて誘起電圧定数を最適化することができる電動機を提供する。【解決手段】外周側回転子５の内周側に、内周側回転子９Ｂと回動機構部１１をそれぞれ備えた第１の回転子ユニット５０Ａと第２の回転子ユニット５０Ｂが軸方向に並んで設けられている。第１の回転子ユニット５０Ａと第２の回転子ユニット５０Ｂは、各々の内周側永久磁石９Ｂの磁石磁束量が互いに異なるように設定されている。【選択図】図２
2010178561.tif 000002
【特許請求の範囲】
【請求項１】
円周方向に沿って板状の外周側永久磁石が配置された外周側回転子と、
この外周側回転子の内周側に同軸にかつ相対回動可能に配設されるとともに、円周方向に沿って板状の内周側永久磁石が配置された内周側回転子と、
前記外周側回転子と内周側回転子を相対回動させて両者の相対的な位相を変更する回動機構部と、を備えた電動機において、
前記外周側回転子の内周側に、内周側回転子と回動機構部をそれぞれ備えた第１の回転子ユニットと第２の回転子ユニットが軸方向に並んで設けられ、
前記第１の回転子ユニットと前記第２の回転子ユニットは、各々の前記内周側永久磁石の磁石磁束量が互いに異なるように設定され、
前記回動機構部は、
前記内周側回転子の径方向内側に配置されるとともに、外周に複数のベーンを有するベーンロータと、
前記内周側回転子の内周側に一体回転可能に設けられるとともに、内周面に前記各ベーンの収容される凹部を有する環状ハウジングと、
前記外周側回転子とベーンロータの軸方向両端側に夫々結合されて両者を一体回転可能にし、かつ前記環状ハウジングの凹部の軸方向の端面に摺動自在に当接する一対の端板と、を備え、
前記環状ハウジングの各凹部と前記ベーンロータと前記一対の端板とによって複数の空間部が形成され、この各空間部内が前記ベーンによって作動液の給排される一対の作動室に隔成されており、
前記第１の回転子ユニットと前記第２の回転子ユニットの各作動室は、作動液の給排が夫々個別に制御され
一対の前記作動室に対して、一方側もしくは他方側に作動液を供給することで、前記ベーンを他方側もしくは一方側へ押し当てるように構成され、
前記第１の回転子ユニットの一対の前記作動室のうち、一方側に作動液を供給し、且つ、前記第２の回転子ユニットの一対の前記作動室のうち、一方側に作動液を供給することで、誘起電圧定数は最大値に設定され、
前記第１の回転子ユニットの一対の前記作動室のうち、一方側に作動液を供給し、且つ、前記第２の回転子ユニットの一対の前記作動室のうち、他方側に作動液を供給することで、誘起電圧定数は第１の中間値に設定され、
前記第１の回転子ユニットの一対の前記作動室のうち、他方側に作動液を供給し、且つ、前記第２の回転子ユニットの一対の前記作動室のうち、一方側に作動液を供給することで、誘起電圧定数は前記第１の中間値と異なる第２の中間値に設定され、
前記第１の回転子ユニットの一対の前記作動室のうち、他方側に作動液を供給し、且つ、前記第２の回転子ユニットの一対の前記作動室のうち、他方側に作動液を供給することで、誘起電圧定数は最小値に設定されることを特徴とする電動機。
【請求項２】
前記第１の回転子ユニットと第２の回転子ユニットは、各々の前記内周側永久磁石の軸方向長さが互いに異なるように設定されていることを特徴とする請求項１に記載の電動機。
【請求項３】
前記第１の回転子ユニットと第２の回転子ユニットは、各々の前記内周側永久磁石の量が互いに異なるように設定されていることを特徴とする請求項１または２に記載の電動機。
【請求項４】
前記第１の回転子ユニットと第２の回転子ユニットは、各々の前記内周側永久磁石の材質が互いに異なるように設定されていることを特徴とする請求項１から３のいずれかに記載の電動機。
【発明の詳細な説明】
【技術分野】
【０００１】
この発明は、回転子の永久磁石の界磁特性を変更できる電動機に関するものである。
【背景技術】
【０００２】
近年、電動機は車両の駆動源等として利用されている。電動機として、夫々個別に永久磁石を備える内周側回転子と外周側回転子とが同軸に配設され、この両回転子を周方向に相対的に回動させる（両回転子の相対的な位相を変更する）ことにより、回転子全体としての界磁特性を変更できるようにしたものが知られている（例えば、特許文献１参照）。
【０００３】
この電動機では、外周側回転子と内周側回転子の永久磁石を互いに異極同士で対向させる（同極配置にする）ことで、回転子全体の界磁を強めて誘起電圧定数を増大させ、逆に、外周側回転子と内周側回転子の永久磁石を互いに同極同士で対向させる（対極配置にする）ことで、回転子全体の界磁を弱めて誘起電圧定数を減少させる。また、複数の外周側回転子と内周側回転子を軸方向に結合した構成とし、個々の構成部品の軸長を短くしている。
【先行技術文献】
【特許文献】
【０００４】
【特許文献１】特開２００８−９９３６７号公報
【発明の概要】
【発明が解決しようとする課題】
【０００５】
ところで、特許文献１に記載の電動機では、誘起電圧定数を３通りに切換えることが記載されている。しかしながら、電動機では、許容回転数を増加したい場合や、最大トルクを増加したい場合等、走行状況に応じた電動機の特性を変更できるように誘起電圧定数をさらに最適化することが望まれている。
【０００６】
本発明は、上記事情に鑑みてなされたものであり、その目的は、簡単な制御で、走行状況に応じて誘起電圧定数を最適化することができる電動機を提供することにある。
【課題を解決するための手段】
【０００７】
上記の課題を解決する請求項１に記載の発明は、
円周方向に沿って板状の外周側永久磁石（例えば、後述の実施形態における外周側永久磁石９Ａ）が配置された外周側回転子（例えば、後述の実施形態における外周側回転子５）と、
この外周側回転子の内周側に同軸にかつ相対回動可能に配設されるとともに、円周方向に沿って板状の内周側永久磁石（例えば、後述の実施形態における内周側永久磁石９Ｂ）が配置された内周側回転子（例えば、後述の実施形態における内周側回転子６）と、
前記外周側回転子と内周側回転子を相対回動させて両者の相対的な位相を変更する回動機構部（例えば、後述の実施形態における回動機構部１１）と、を備えた電動機（例えば、後述の実施形態における電動機１）において、
前記外周側回転子の内周側に、内周側回転子と回動機構部をそれぞれ備えた第１の回転子ユニット（例えば、後述の実施形態における第１の回転子ユニット５０Ａ）と第２の回転子ユニット（例えば、後述の実施形態における第２の回転子ユニット５０Ｂ）が軸方向に並んで設けられ、
前記第１の回転子ユニットと前記第２の回転子ユニットは、各々の前記内周側永久磁石の磁石磁束量が互いに異なるように設定され、
前記回動機構部は、
前記内周側回転子の径方向内側に配置されるとともに、外周に複数のベーン（例えば、後述の実施形態におけるベーン１８）を有するベーンロータ（例えば、後述の実施形態におけるベーンロータ１４）と、
前記内周側回転子の内周側に一体回転可能に設けられるとともに、内周面に前記各ベーンの収容される凹部（例えば、後述の実施形態における凹部１９）を有する環状ハウジング（例えば、後述の実施形態における環状ハウジング１５）と、
前記外周側回転子とベーンロータの軸方向両端側に夫々結合されて両者を一体回転可能にし、かつ前記環状ハウジングの凹部の軸方向の端面に摺動自在に当接する一対の端板（例えば、後述の実施形態におけるドライブプレート１６ａ，１６ｂ）と、を備え、
前記環状ハウジングの各凹部と前記ベーンロータと前記一対の端板とによって複数の空間部（例えば、後述の実施形態における導入空間２３）が形成され、この各空間部内が前記ベーンによって作動液の給排される一対の作動室（例えば、後述の実施形態における進角側作動室２４および遅角側作動室２５）に隔成されており、
前記第１の回転子ユニットと前記第２の回転子ユニットの各作動室は、作動液の給排が夫々個別に制御され
一対の前記作動室に対して、一方側もしくは他方側に作動液を供給することで、前記ベーンを他方側もしくは一方側へ押し当てるように構成され、
前記第１の回転子ユニットの一対の前記作動室のうち、一方側に作動液を供給し、且つ、前記第２の回転子ユニットの一対の前記作動室のうち、一方側に作動液を供給することで、誘起電圧定数は最大値に設定され、
前記第１の回転子ユニットの一対の前記作動室のうち、一方側に作動液を供給し、且つ、前記第２の回転子ユニットの一対の前記作動室のうち、他方側に作動液を供給することで、誘起電圧定数は第１の中間値に設定され、
前記第１の回転子ユニットの一対の前記作動室のうち、他方側に作動液を供給し、且つ、前記第２の回転子ユニットの一対の前記作動室のうち、一方側に作動液を供給することで、誘起電圧定数は前記第１の中間値と異なる第２の中間値に設定され、
前記第１の回転子ユニットの一対の前記作動室のうち、他方側に作動液を供給し、且つ、前記第２の回転子ユニットの一対の前記作動室のうち、他方側に作動液を供給することで、誘起電圧定数は最小値に設定されることを特徴とする電動機。
【０００８】
請求項２に記載の発明は、請求項１に記載の電動機において、前記第１の回転子ユニットと第２の回転子ユニットは、各々の前記内周側永久磁石の軸方向長さが互いに異なるように設定されていることを特徴とする。
【０００９】
請求項３に記載の発明は、請求項１または２に記載の電動機において、前記第１の回転子ユニットと第２の回転子ユニットは、各々の前記内周側永久磁石の量が互いに異なるように設定されていることを特徴とする。
【００１０】
請求項４に記載の発明は、請求項１から３のいずれかに記載の電動機において、前記第１の回転子ユニットと第２の回転子ユニットは、各々の前記内周側永久磁石の材質が互いに異なるように設定されていることを特徴とする。
【発明の効果】
【００１１】
請求項１に記載の発明によれば、第１及び第２の回転子ユニットの各々の内周側永久磁石の磁石磁束量が互いに異なるように設定されているので、誘起電圧定数を４通りに設定することができ、走行状況に応じて適宜誘起電圧定数を選択することができる。また、４つの値の誘起電圧定数は、第１及び第２の回転子ユニットが作動液によってベーンを作動室の他方側もしくは一方側に押し当てることで変更することができるので、該制御を簡単に行うことができる。
【００１２】
請求項２〜４に記載の発明によれば、第１及び第２の回転子ユニットの各々の内周側永久磁石の磁石磁束量を変更することができる。
【図面の簡単な説明】
【００１３】
【図１】この発明の第１の実施形態を示すものであり、車両の動力伝達系の概略構成図である。
【図２】同実施形態の電動機の断面図である。
【図３】同実施形態の電動機の要部の分解斜視図である。
【図４】同実施形態の電動機の遅角状態での一部部品を省略した正面図である。
【図５】同実施形態の電動機の進角状態での一部部品を省略した正面図である。
【図６】４通りの誘起電圧定数を与える外周側永久磁石、内周側永久磁石の位相の関係を示す図である。
【図７】同実施形態の相対トルク−位相差特性図である。
【発明を実施するための形態】
【００１４】
以下、この発明の一実施形態に係る電動機について、図１〜図７を参照して説明する。
【００１５】
図１は、この発明にかかる電動機１を用いたハイブリッド車両の動力伝達系の概略構成図を示すものである。
このハイブリッド車両は、エンジン７０と電動機１を動力源とし、これらの動力源の駆動力を適宜択一的に選択または併用して駆動輪７１に伝達するようになっている。
【００１６】
エンジン７０のクランク軸７０ａは、フライホイール７２を介してセルモータを兼ねる発電機７３のロータ軸７３ａに直結され、さらに、ロータ軸７３ａはエンジン７０の駆動力を駆動輪７１側に伝達するためのクラッチ７４に接続されている。クラッチ７４に接続される被駆動側のエンジン出力軸７５の端部にはエンジン出力ギヤ７６が設けられ、このエンジン出力ギヤ７６がアイドル軸７７の一端側に設けられたアイドルギヤ７８に噛合されている。アイドル軸７７の他端側にはピニオンギヤ７９が設けられ、このピニオンギヤ７９が、左右の駆動輪７１，７１に動力を分配するディファレンシャル装置８０に接続されている。エンジン７０の駆動力は以上の経路を通して駆動輪７１，７１に伝達される。
【００１７】
一方、電動機１は、バッテリ８１または発電機７３からインバータ８２を介して電力を供給され、その供給電力に応じて出力軸４を回転させる。出力軸４の端部には電動機ギヤ８３が設けられ、その電動機ギヤ８３がアイドル軸７７の一端のアイドルギヤ７８に噛合されている。電動機１の駆動力は、アイドル軸７７とディファレンシャル装置８０を通して左右の駆動輪７１，７１に伝達される。
【００１８】
電動機１および発電機７３とバッテリ８１の間に介装されるインバータ８２はハイブリッドＥＣＵ８４によって制御され、エンジン７０はエンジンＥＣＵ８５によって出力特性が制御されるようになっている。ハイブリッドＥＣＵ８４は、イグニッションスイッチ８６、シフトポジションセンサ８７、アクセルペダルセンサ８８、ブレーキペダルセンサ８９、車速センサ９０等が入力部に接続され、これらのセンサからの入力信号と、バッテリ８１からの種々の入力信号（電圧，電流，温度等の信号）に応じてインバータ８２と、クラッチ７４の操作アクチュエータ７４ａを適宜制御するようになっている。また、ハイブリッドＥＣＵ８４とエンジンＥＣＵ８５は通信回線によって結ばれ、両者間において種々の信号が授受されるようになっている。
【００１９】
このハイブリッド車両では、車両発進時を含む低車速走行時と登坂走行時等には、ハイブリッドＥＣＵ８４がクラッチ７４を遮断してエンジン動力を駆動系から分離するとともに、インバータ８２を介してバッテリ８１から電動機１への供給電力を制御し、電動機１の駆動力によって車両を走行させる。また、このときバッテリ８１の残容量が少なくなった場合には、クラッチ７４が遮断されたままエンジンＥＣＵ８４がエンジン７０を起動し、発電機７３で発電された電力によって電動機１を駆動する（シリーズ運転モード）。
【００２０】
また、中・高車速での定常走行時には、ハイブリッドＥＣＵ８４がインバータ８２の制御によって電動機１への電力供給を停止するとともに、エンジン７０を起動した状態でクラッチ７４を接続してエンジン７０の駆動力を駆動輪７１に伝達する（エンジン駆動クルーズモード）。
【００２１】
さらに、中・高車速で車両が加速する場合には、ハイブリッドＥＣＵ８４がクラッチ７４を接続してエンジン７０の駆動力を駆動輪７１に伝達すると同時に、インバータ８２の制御によって電動機１を駆動し、電動機１の駆動力も並行して駆動輪７１に伝達する（パラレル運転モード）。
【００２２】
電動機１は、インナロータ型のブラシレスモータであり、図２に示すように電磁巻線２ａを備えた円環状の固定子２（図１参照）の内周側に回転子ブロック３が回転自在に設けられ、回転子ブロック３の軸心部に出力軸４が一体に結合されている。
【００２３】
回転子ブロック３は、誘起電圧定数を２段に変更し得る第１の回転子ユニット５０Ａと第２の回転子ユニット５０Ｂを備え、これらが軸方向で直列に結合された概略構成とされている。そして、両回転子ユニット５０Ａ，５０Ｂは、一部部品を共用しているものの、ほぼ同様の構造を有している。また、両回転子ユニット５０Ａ，５０Ｂは、後述する各々の内周側永久磁石の軸方向長さが互いに異なることを含め、各構成要素の軸方向長さが互いに異なっている。したがって、以下では説明を簡略化するために、第１の回転子ユニット５０Ａについてのみ詳述し、第２の回転子ユニット５０Ｂについては、第１の回転子ユニット５０Ａと同様の構造部分について、同一符号を付して重複する説明を省略するものとする。
【００２４】
第１の回転子ユニット５０Ａは、図３〜図５にも示すように、円環状の外周側回転子５と、この外周側回転子５の内側に同軸に配置される円環状の内周側回転子６と、これらの両回転子５，６を設定角度の範囲で相対回動させる回動機構部１１とを備えている。
【００２５】
外周側回転子５と内周側回転子６は、図４，図５に示すように、回転子本体である円環状のロータ鉄心７，８が例えば焼結金属によって形成され、その各ロータ鉄心７，８に複数の磁石装着スロット７ａ…，８ａ…が円周方向に沿って形成されている。各磁石装着スロット７ａ，８ａには、厚み方向に磁化された平板状の外周側永久磁石９Ａと内周側永久磁石９Ｂが夫々装着されている。そして、磁石装着スロット７ａ，８ａは、外周側回転子５上と内周側回転子６上で夫々円周方向で隣接するもの２つが一組を成し、各組の磁石装着スロット７ａ，８ａに同磁極が同方向を向くように外周側永久磁石９Ａと内周側永久磁石９Ｂが夫々装着されている。また、外周側回転子５上の隣接する組の磁石装着スロット７ａに装着される外周側永久磁石９Ａ同士は磁極の向きが逆向きになり、内周側回転子６上の隣接する組の磁石装着スロット８ａに装着される内周側永久磁石９Ｂ同士も磁極の向きが逆向きになっている。即ち、外周側回転子５においては、外周側がＮ極とされた外周側永久磁石９Ａの対とＳ極とされた外周側永久磁石９Ａの対が円周方向に交互に並んで配置されており、同様に、内周側回転子６においても、外周側がＮ極とされた内周側永久磁石９Ｂの対と、Ｓ極とされた内周側永久磁石９Ｂの対が円周方向に交互に並んで配置されている。
なお、外周側回転子５と内周側回転子６の円周方向で隣接する各磁石装着スロット７ａ，８ａの組の間には、磁束の流れを制御するための切欠き部１０が形成されている。
【００２６】
外周側回転子５と内周側回転子６の磁石装着スロット７ａ，８ａは夫々同数設けられ、両回転子５，６の永久磁石９Ａ，９Ｂが夫々１対１で対応するようになっている。したがって、外周側回転子５と内周側回転子６の各磁石装着スロット７ａ，８ａ内の永久磁石９Ａ，９Ｂを互いに同極同士で対向させる（異極配置にする）ことにより、第１の回転子ユニット５０Ａ全体の界磁が最も弱められる弱め界磁の状態を得ることができるとともに、外周側回転子５と内周側回転子６の各磁石装着スロット７ａ，８ａ内の永久磁石９Ａ，９Ｂを互いに異極同士で対向させる（同極配置にする）ことにより、第１の回転子ユニット５０Ａ全体の界磁が最も強められる強め界磁の状態を得ることができる。
【００２７】
回動機構部１１は、図２〜図５に示すように出力軸４の外周に一体回転可能にスプライン嵌合されるベーンロータ１４と、ベーンロータ１４の外周側に相対回動可能に配置される環状ハウジング１５を備え、この環状ハウジング１５が内周側回転子６の内周面に一体に嵌合固定されるとともに、ベーンロータ１４が、環状ハウジング１５と内周側回転子６の両側の側端部を跨ぐ円板状の一対のドライブプレート１６ａ，１６ｂ（端板）を介して外周側回転子５に一体に結合されている。したがって、ベーンロータ１４は出力軸４と外周側回転子５に一体化され、環状ハウジング１５は内周側回転子６に一体化されている。
【００２８】
ベーンロータ１４は、出力軸４にスプライン嵌合される円筒状のボス部１７の外周に、径方向外側に突出する複数のベーン１８が円周方向等間隔に設けられている。一方、環状ハウジング１５は、内周面に円周方向等間隔に複数の凹部１９が設けられ、この各凹部１９にベーンロータ１４の対応するベーン１８が収容配置されるようになっている。各凹部１９は、ベーン１８の先端部の回転軌道にほぼ合致する円弧面を有する底壁２０と、隣接する凹部１９，１９同士を隔成する略三角形状の仕切壁２１によって構成され、ベーンロータ１４と環状ハウジング１５の相対回動時に、ベーン１８が一方の仕切壁２１と他方の仕切壁２１の間を変位し得るようになっている。この実施形態の場合、仕切壁２１はベーン１８と当接することにより、ベーンロータ１４と環状ハウジング１５の相対回動を規制するストッパ（規制手段）として機能する。なお、各ベーン１８の先端部と仕切壁２１の先端部には、軸方向に沿うようにシール部材２２が設けられ、これらのシール部材２２によってベーン１８と凹部１９の底壁２０、仕切壁２１とボス部１７の外周面の各間が液密にシールされている。
【００２９】
また、内周側回転子６に固定される環状ハウジング１５のベース部１５ａは一定厚みの円筒状に形成されるとともに、図２に示すように内周側回転子６や仕切壁２１に対して軸方向外側に突出している。このベース部１５ａの外側に突出した各端部は、ドライブプレート１６に形成された環状のガイド溝（符号省略）に摺動自在に保持され、環状ハウジング１５と内周側回転子６が、外周側回転子５や出力軸４にフローティング状態で支持されるようになっている。
【００３０】
外周側回転子５とベーンロータ１４を連結する両側のドライブプレート１６ａ，１６ｂは、環状ハウジング１５の両側面（軸方向の両端面）に摺動自在に密接し、環状ハウジング１５の各凹部１９の側方を夫々閉塞する。したがって、各凹部１９は、ベーンロータ１４のボス部１７と両側のドライブプレート１６ａ，１６ｂとともに夫々独立した空間部を形成し、この空間部は、作動液が導入される導入空間２３となっている。各導入空間２３内は、ベーンロータ１４の対応する各ベーン１８によって夫々２室に隔成され、一方側の部屋が進角側作動室２４、他方側の部屋が遅角側作動室２５とされている。進角側作動室２４は、内部に導入された作動液の圧力によって内周側回転子６を外周側回転子５に対して進角方向に相対回動させ、遅角側作動室２５は、内部に導入された作動液の圧力によって内周側回転子６を外周側回転子５に対して遅角方向に相対回動させる。この場合、「進角」とは、内周側回転子６を外周側回転子５に対して、図５，図６中の矢印Ｒで示す電動機１の主回転方向に進めることを言い、「遅角」とは、内周側回転子６を外周側回転子５に対して、電動機１の主回転方向Ｒと逆側に進めることを言うものとする。
【００３１】
また、各進角側作動室２４と遅角側作動室２５に対する作動液の給排は出力軸４を通して行われるようになっている。具体的には、進角側作動室２４は、図示しない液圧給排装置の進角側給排通路２６に接続され、遅角側作動室２５は同液圧給排装置の遅角側給排通路２７に接続されているが、進角側給排通路２６と遅角側給排通路２７の一部は、図２に示すように、夫々出力軸４に軸方向に沿って形成させた通路孔２６ａ，２７ａによって構成されている。そして、各通路孔２６ａ，２７ａの端部は、出力軸４の外周面の軸方向にオフセットした２位置に形成された環状溝２６ｂと環状溝２７ｂに夫々接続され、その各環状溝２６ｂ，２７ｂは、ベーンロータ１４のボス部１７に略半径方向に沿って形成された複数の導通孔２６ｃ…，２７ｃ…に接続されている。進角側給排通路２６の各導通孔２６ｃは環状溝２６ｂと各進角側作動室２４とを接続し、遅角側給排通路２７の各導通孔２７ｃは環状溝２７ｂと各遅角側作動室２５とを接続している。
なお、第１と第２の回転子ユニット５０Ａ，５０Ｂは、夫々の進角側作動室２４と遅角側作動室２５が液圧給排装置によって個別に給排制御されるようになっている。この液圧供給装置は、図１では図示しないが、車両の走行状況等に応じてハイブリッドＥＣＵ８４によって制御される。
【００３２】
ところで、この実施形態の第１と第２の回転子ユニット５０Ａ，５０Ｂの場合、内周側回転子６が外周側回転子５に対して最遅角位置にあるときに、内周側永久磁石９Ｂと外周側永久磁石９Ａが異極同士で対向して強め界磁の状態になり、内周側回転子６が外周側回転子５に対して最進角位置にあるときに、内周側永久磁石９Ｂと外周側永久磁石９Ａが同極同士で対向して弱め界磁の状態になるように設定されている。
また、各回転子ユニット５０Ａ，５０Ｂは、進角側作動室２４と遅角側作動室２５に対する作動液の給排制御によって、強め界磁の状態と弱め界磁の状態を任意に変更し得るものであるが、こうして磁界の強さが変更されると、それに伴って誘起電圧定数が変更される。
【００３３】
第１と第２の回転子ユニット５０Ａ，５０Ｂは、一方のドライブプレート１６ｂが軸方向の略中央において共通の端板として用いられ、両回転子ユニット５０Ａ，５０Ｂが出力軸４上に直列配置された状態において、両回転子ユニット５０Ａ，５０Ｂの外周側回転子５，５同士とベーンロータ１４，１４同士が、ドライブプレート１６ａ，１６ｂ，１６ａを貫通する複数の締結ボルト２９（図２参照）によって相互に結合されている。なお、このとき両回転子ユニット５０Ａ，５０Ｂの外周側永久磁石９Ａ，９Ａ同士は同位相配置に、つまり、両回転子ユニット５０Ａ，５０Ｂ上の外周側永久磁石９Ａ，９Ａの円周方向位置と磁極の向きが合致するように配置されている。
こうして組み立てられた回転子ブロック３は、各回転子ユニット５０Ａ，５０Ｂの内周側回転子６と環状ハウジング１５が夫々フローティング状態で、かつ軸方向に並んで収容配置されている。
【００３４】
また、電動機１では、第１の回転子ユニット５０Ａと第２の回転子ユニット５０Ｂの軸方向長さが異なっており、即ち、各回転子ユニット５０Ａ，５０Ｂの外周側回転子５，５、内周側回転子６，６、及び回動機構部１１，１１の各軸方向長さが互いに異なっている。このため、外周側回転子５，５の外周側永久磁石９Ａ，９Ａ、及び内周側回転子６，６の内周側永久磁石９Ｂ，９Ｂの軸方向長さも第１及び第２の回転子ユニット５０Ａ，５０Ｂで互いに異なり、第１及び第２の回転子ユニット５０Ａ，５０Ｂの外周側永久磁石９Ａ，９Ａ、及び内周側永久磁石９Ｂ，９Ｂの磁石磁束量もそれぞれ互いに異なる。
【００３５】
従って、この電動機１では、図６に示すように、両回転子ユニット５０Ａ，５０Ｂが個別に給排制御されることにより、電動機全体の平均した誘起電圧定数が最大値、第１の中間値、第２の中間値、最小値の４段階に調整されるようになっている。なお、図６は、２組の外周側永久磁石９Ａ，９Ａ、及び内周側永久磁石９Ｂ，９Ｂをいずれも外周側から見た場合の磁極を表しており、ハッチングした永久磁石の外周側をＮ極、白抜きの永久磁石の外周側をＳ極とする。また、図６を符号の向きに見た際の外周側永久磁石９Ａ，９Ａ、及び内周側永久磁石９Ｂ，９Ｂの左右方向の位置は、位相を表している。
また、実施可能な構成であれば、第１及び第２の回転子ユニット５０Ａ，５０Ｂの外周側回転子５，５が単一に構成された場合にも同様の誘起電圧定数の変更が得られるため、図６では外周側回転子５，５を単一構成として図示している。
【００３６】
具体的に、電動機１の平均した誘起電圧定数を最大値にする場合には、両回転子ユニット５０Ａ，５０Ｂの一方側、即ち進角側作動室２４に作動液を供給してベーン１８を他方側、即ち遅角側作動室２５に押し当て、両回転子ユニット５０Ａ，５０Ｂの回転位相をともに最遅角状態にする。
【００３７】
また、電動機１の平均した誘起電圧定数を２番目に大きな第１の中間値にする場合には、内周側永久磁石９Ｂの磁石磁束量が多い第１の回転子ユニット５０Ａの一方側、即ち進角側作動室２４に作動液を供給してベーン１８を他方側、即ち遅角側作動室２５に押し当て、第１の回転子ユニット５０Ａの回転位相を最遅角状態にする。一方、内周側永久磁石９Ｂの磁石磁束量が少ない第２の回転子ユニット５０Ｂの他方側、即ち遅角側作動室２５に作動液を供給してベーン１８を一方側、即ち進角側作動室２４に押し当て、第２の回転子ユニット５０Ｂの回転位相を最進角状態にする。
【００３８】
また、電動機１の平均した誘起電圧定数を３番目に大きな第２の中間値にする場合には、内周側永久磁石９Ｂの磁石磁束量が多い第１の回転子ユニット５０Ａの他方側、即ち遅角側作動室２５に作動液を供給してベーン１８を進角側作動室２４に押し当て、第１の回転子ユニット５０Ａの回転位相を最進角状態にする。一方、内周側永久磁石９Ｂの磁石磁束量が少ない第２の回転子ユニット５０Ｂの一方側、即ち進角側作動室２４に作動液を供給してベーン１８を遅角側作動室２５に押し当て、第２の回転子ユニット５０Ｂの回転位相を最遅角状態にする。
【００３９】
さらに、電動機１の平均した誘起電圧定数を最小値にする場合には、両回転子ユニット５０Ａ，５０Ｂの他方側、即ち遅角側作動室２５に作動液を供給してベーン１８を進角側作動室２４に押し当て、両回転子ユニット５０Ａ，５０Ｂの回転位相をともに最進角状態にする。
【００４０】
ここで、上記の誘起電圧定数の変更は電動機１の特性を変更するために行うものであり、例えば、電動機１の平均した誘起電圧定数を大きく設定した場合には、運転可能な許容回転速度は低下するものの、出力可能な最大トルクは増大するようになり、逆に、電動機１の平均した誘起電圧定数を小さく設定した場合には、電動機１の出力可能な最大トルクは減少するものの、運転可能な許容回転速度は上昇する。
【００４１】
また、この実施形態の電動機１では、各回転子ユニット５０Ａ，５０Ｂの外周側回転子５と内周側回転子６の相対的な回転位相は、前述のようにベーンロータ１４のベーン１８と環状ハウジング１５の仕切壁２１が当接することで機械的に規制されるようになっているが、両回転子ユニット５０Ａ，５０Ｂの回転子５，６の強め界磁側と弱め界磁側の規制位置は以下のように設定されている。なお、以下では、外周側永久磁石９Ａと内周側永久磁石９Ｂが異磁極同士で対向配置される両回転子５，６の相対位置を原点位置と呼ぶものとする。
【００４２】
即ち、この電動機１の場合、図７に示すように電気角０°の原点位置から電気角１８０°の位置までが両回転子ユニット５０Ａ，５０Ｂの回転子５，６の回動範囲とされているのではなく、強め界磁側の規制位置Ａ１は、原点位置から進角側に僅かに進んだ位置（電気角で１２０°を超えない位置）とされ、弱め界磁側の規制位置Ａ２は、電気角で１８０°を超え、かつ電気角で３６０°を超えない位置（望ましくは、電気角で１８０°を超え、かつ、相対トルクが最大になる電気角である２４０°を超えない位置）とされている。
【００４３】
各回転子ユニット５０Ａ，５０Ｂの強め界磁側の規制位置Ａ１は、原点位置から進角側に僅かに進んだ位置に設定されているが、この位置は外周側永久磁石９Ａと内周側永久磁石９Ｂが異磁極同士で正面で対面する位置から僅かに離れた位置であることから、両永久磁石９Ａ，９Ｂ間の吸引力は両回転子５，６を原点位置方向に回転させる相対トルクとして働くようになる。
また、各回転子ユニット５０Ａ，５０Ｂの弱め界磁側の規制位置Ａ２は、電気角で１８０°を超え、かつ電気角で３６０°を超えない位置に設定されているが、この位置は外周側永久磁石９Ａと内周側永久磁石９Ｂの同極同士が完全に対面する位置を越えた位置であることから、両永久磁石９Ａ，９Ｂ間の反発力は両回転子６，５を原点位置から遠ざける方向に回転させる相対トルクとして働くようになる。
【００４４】
したがって、各回転子ユニット５０Ａ，５０Ｂでは、外周側回転子５と内周側回転子６の相対位置が強め界磁側の規制位置Ａ１と弱め界磁側の規制位置Ａ２にある場合に、外周側永久磁石９Ａと内周側永久磁石９Ｂによる相対トルクが両回転子６，５の相対位置を各規制位置Ａ１，Ａ２に維持するように働くため、永久磁石９Ａ，９Ｂによる相対トルクを利用して、両回転子５，６を強め界磁側と弱め界磁側に夫々維持することができる。このため、内周側回転子５と外周側回転子６の相対位置を弱め界磁側や強め界磁側に維持するために回動機構部１１に加える操作力（作動液の圧力）を小さく、若しくは、完全にゼロにすることができる。
【００４５】
以上のように、この実施形態の電動機１は、第１の回転子ユニット５０Ａと第２の回転子ユニット５０Ｂが軸方向で結合されて回転子ブロック３が構成されているため、固定子２の外周側回転子５，５の内周側に、内周側回転子６，６と回動機構部１１，１１をそれぞれ備えた第１の回転子ユニット５０Ａと第２の回転子ユニット５０Ｂが軸方向に並んで設けられている。また、第１の回転子ユニット５０Ａと第２の回転子ユニット５０Ｂは、各々の内周側永久磁石９Ｂ，９Ｂの磁石磁束量が互いに異なるように設定されている。
【００４６】
さらに、回動機構部１１は、内周側回転子６の径方向内側に配置されるとともに、外周に複数のベーン１８を有するベーンロータ１４と、内周側回転子６の内周側に一体回転可能に設けられるとともに、内周面に前記各ベーン１８の収容される凹部１９を有する環状ハウジング１５と、外周側回転子５とベーンロータ１４の軸方向両端側に夫々結合されて両者を一体回転可能にし、かつ環状ハウジング１５の凹部１９の軸方向の端面に摺動自在に当接する一対のドライブプレート１６ａ，１６ｂと、を備える。そして、回動機構部１１は、環状ハウジング１５の各凹部１９とベーンロータ１４と一対のドライブプレート１６ａ，１６ｂとによって複数の導入空間２３が形成され、この各導入空間２３内がベーン１８によって作動液の給排される一対の作動室である進角側作動室２４および遅角側作動室２５に隔成される。また、第１の回転子ユニット５０Ａと第２の回転子ユニット５０Ｂの各作動室２４，２５は、作動液の給排が夫々個別に制御され、一対の作動室２４，２５に対して、一方側もしくは他方側に作動液を供給することで、ベーン１８を他方側もしくは一方側へ押し当てるように構成される。
【００４７】
具体的に、第１の回転子ユニット５０Ａの一対の作動室２４，２５のうち、一方側である進角側作動室２４に作動液を供給し、且つ、第２の回転子ユニット５０Ｂの一対の作動室２４，２５のうち、一方側である進角側作動室２４に作動液を供給することで、誘起電圧定数は最大値に設定される。また、第１の回転子ユニット５０Ａの一対の作動室２４，２５のうち、一方側である進角側作動室２４に作動液を供給し、且つ、第２の回転子ユニット５０Ｂの一対の作動室２４，２５のうち、他方側である遅角側作動室２５に作動液を供給することで、誘起電圧定数は第１の中間値に設定される。また、第１の回転子ユニット５０Ａの一対の作動室２４，２５のうち、他方側である遅角側作動室２５に作動液を供給し、且つ、第２の回転子ユニット５０Ｂの一対の作動室２４，２５のうち、一方側である進角側作動室２４に作動液を供給することで、誘起電圧定数は前記第１の中間値より小さい第２の中間値に設定される。さらに、第１の回転子ユニット５０Ａの一対の作動室２４，２５のうち、他方側である遅角側作動室２５に作動液を供給し、且つ、第２の回転子ユニット５０Ｂの一対の作動室２４，２５のうち、他方側である遅角側作動室２５に作動液を供給することで、誘起電圧定数は最小値に設定される。
【００４８】
このように構成することで、誘起電圧定数を４通りに設定することができ、走行状況に応じて適宜誘起電圧定数を選択することができる。また、４つの値の誘起電圧定数は、第１及び第２の回転子ユニットが作動液によってベーン１８を作動室の進角側作動室２４もしくは遅角側作動室２５に押し当てることで変更することができるので、該制御を簡単に行うことができる。また、制御構造が比較的簡単であることから、製造コストの高騰も抑制することができる。
【００４９】
また、本実施形態では、内周側回転子６，６の内周側永久磁石９Ｂ，９Ｂの軸方向長さを第１及び第２の回転子ユニット５０Ａ，５０Ｂで互いに異ならせることで、第１及び第２の回転子ユニット５０Ａ，５０Ｂの各々の内周側永久磁石９Ｂ，９Ｂの磁石磁束量を変更することができる。
【００５０】
なお、この発明は上記の実施形態に限定されるものではなく、その要旨を逸脱しない範囲で種々の設計変更が可能である。
【００５１】
上記実施形態では、内周側永久磁石の軸方向長さを互いに異ならせることで、内周側永久磁石の磁石磁束量を異ならせているが、内周側永久磁石の量を互いに異ならせたり、或いは、内周側永久磁石の材質を互いに異ならせることで、内周側永久磁石の磁石磁束量を異ならせてもよい。
【符号の説明】
【００５２】
１…電動機
５…外周側回転子
６…内周側回転子
９Ａ…外周側永久磁石
９Ｂ…内周側永久磁石
１１…回動機構部
１４…ベーンロータ
１５…環状ハウジング
１６ａ，１６ｂ…ドライブプレート（端板）
１０，１８…ベーン
１９…凹部
２３…導入空間
２４…進角側作動室
２５…遅角側作動室
５０Ａ…第１の回転子ユニット
５０Ｂ…第２の回転子ユニット
【図１】
2010178561.tif 000003
【図２】
2010178561.tif 000004
【図３】
2010178561.tif 000005
【図４】
2010178561.tif 000006
【図５】
2010178561.tif 000007
【図６】
2010178561.tif 000008
【図７】
2010178561.tif 000009